(57)【特許請求の範囲】
【請求項１】
コンクリート台周囲の枠体と天井からなる通水性ケースであって、該通水性ケース内へ側面出入口の高さと内部とで異なる高さの傾斜棲息区画を隔壁により形成し,該隔壁が、貝殻を充填して構成されたパネル又はパイプの集合体パネルであり、側面出入口は、その一部をメクラ板により閉鎖してなる人工魚礁。
【請求項２】
隔壁の一部に開口部を形成した請求項１記載の人工魚礁。
【請求項３】
通水性ケースは、その天井及び側面出入口を高くかつ隔壁の傾斜角を大にして内部空間を高くし、通水性ケース内の傾斜棲息区画の傾斜角を大にした請求項１又は２記載の人工魚礁。
【請求項４】
天井を２段以上の複数段に形成し、各段に傾斜した隔壁を設けて傾斜棲息区画を多段に形成した請求項１乃至３のいずれか記載の人工魚礁。
【請求項５】
通水性ケース内の傾斜棲息区画に仕切縦壁を設けて内部を複雑化した請求項１乃至４のいずれかに記載の人工魚礁。
【発明の詳細な説明】
【０００１】
【発明の属する技術分野】
本発明は、イセエビ、イカ、アワビ、ウニ、魚等の夜行性又は暗所かつ狭い場所を好む魚介類に好適な人工魚礁に関する。
【０００２】
【従来の技術】
魚の繁殖や定棲を目的とする人工魚礁の初期のものは、単に魚が通過できる壁面又は枠体の内部に魚巣機能を持たせたものであった(例えば、特公昭50-15717号、同52-158095号、特開昭59-82030号、実開昭52-134589号、同52-158095号、同61-43875号)。しかし、人工魚礁に用いる集魚ケース又は集魚パネルは、人工魚礁の目的である集魚、繁殖効果を左右するものである。そこで、本出願人は特開平6-141727号においてメッシュ構造の通水性網体にカキ殻等を充填した集魚ケースを提案した。この集魚ケースは、充填したカキ殻に餌料生物又は水質浄化に役立つ微生物の繁殖を可能にすることによって、集魚及び繁殖効果を高めたものである。この集魚ケースを単体又はパネル化して、既設又は新設のコンクリート製人工魚礁等に取付けて使用するようになっている。
【０００３】
【発明が解決しようとする課題】
人工魚礁を現場海域に設置して実用化していくうちに、魚介類の中には夜行性又は暗所かつ狭い場所を好む性質のものに、従来の人工漁礁では棲息環境が必ずしも最適ではないことが明らかなった。本発明ではそのような魚介類にも快適に棲息することが可能な構造の人工魚礁について検討した。
【０００4】
【課題を解決するための手段】
そこで、コンクリート台周囲の枠体と天井からなる通水性ケースであって、その通水性ケース内へ側面出入口と内部とで異なる高さの傾斜棲息区画を隔壁により形成し,その隔壁が貝殻を充填して構成されたパネル又はパイプの集合体パネルであり、側面出入口は、その一部をメクラ板により閉鎖してなる人工魚礁とした。通水性ケース内の傾斜棲息区画の形成は、イセエビの場合、通常の棲息場所が大きな岩の割れ目で入り口の高さが20cmほどで、奥行きは腕を伸ばしてもとどかないほどの長さがあり、割れ目の長さは２ｍ以上であることによる。この調査結果より出入口の高さは20cmから５cmで、大きな個体から小さな個体まで棲息できる構造とした。傾斜棲息区画の形成は貝殻を用いて構成されたパネル又はパイプの集合体によるのが好ましい。パイプの隙間は２cm程度とし、隙間をほとんど無くし、上面から光ができるだけ入らないようにする。また、通水性ケースの出入口の一部を閉鎖した構造とした。これにより、通水性ケースの出入口が小さくなると共に多数となる。
【０００５】
通水性ケース内の傾斜棲息区画を形成するパネル又はパイプの集合体の一部に開口部を形成した。これにより上下の傾斜棲息区画間をイセエビ等が移動することができる。通水性ケースは、その天井及び側面出入口を高くかつ隔壁の傾斜角を大にして内部空間を高くし、通水性ケース内の傾斜棲息区画の傾斜角を大にする。また、天井を２段以上の複数段に形成し、各段に傾斜した隔壁を設けて傾斜棲息区画を多段に形成した人工魚礁にするとよい。更に、通水性ケース内の傾斜棲息区画に仕切縦壁を設けて内部を複雑化したことで、イセエビ等の夜行性又は暗所かつ狭い場所を好む魚介類に好適な人工魚礁となる。
【０００６】
これらの人工魚礁の通水性ケースの下部をコンクリート台で支持し、該コンクリート台に底面開口部を設けた。これにより、海底沈設の際に安定し、潮流による移動が避けられる。
【０００７】
通水性ケースの下部を下向き凸部を有するコンクリート台で支持した。下向き凸部の最も好適な例は方形のコンクリート台の四方下部へ脚の機能を持たせるよう設ける態様である。これら下向き凸部は脚の作用をし、上記コンクリート台の底面開口部と海底面との空隙確保に役立つ。
【０００８】
【発明の実施の形態】
図１は本発明の人工魚礁の実施例の側面図であり、図２は正面図、図３は平面図である。この人工魚礁は平面状に多数の平行な通水性のパイプ２によって形成された天井１があり、４側面は適度に間をおいてメクラ板３が通水性ケースの出入口の一部を閉鎖するようにコンクリート台４から立設さている。天井１のメッシュ構造の通水性のパイプ２内にはかき殻、ほたて貝殻等貝殻を適宜充填する。天井１とコンクリート台４との間にこれも通水性の復数本のパイプをパネル状にした隔壁５が、通水性ケース内へ出入口６と内部７で異なる高さの傾斜棲息区画８を形成するべく配置されている。通水性ケース内の傾斜棲息区画を形成する隔壁５は貝殻を充填して構成された一体のパネル又は上記の貝殻充填通水性パイプの集合体で形成することができる。
【０００９】
図４は側面のメクラ板３を大きくして棲息区画を暗くしたことと、出入り口を少なくした人工魚礁の実施例の側面図である。また、図５は側面のメクラ板３のサイズを高くして隔壁５の傾斜角を大にして内部空間を高くし、大きいイセエビ等に適すようにした例である。また、図６のように天井を２段以上の複数段に形成し、各段に傾斜した隔壁５を設けて傾斜棲息区画を更に多くすることもできる。更に、通水性ケース内の傾斜棲息区画に仕切縦壁12を設けて内部を複雑化すると、室内が複雑になって、隠れ場を提供したり、複数匹の棲息を可能にする。
【００１０】
図７は通水性ケース内の傾斜棲息区画を形成する傾斜した隔壁５(パネル又はパイプの集合体)の一部に開口部９を形成した例である。この例ではランダムに複数個(4箇所)設けているが、左右対称位置に設けてもよいし、少数の奇数箇所でもよい。
【００１１】
これまで説明した本発明の実施例の人工魚礁にみられるように、通水性ケースの下部をコンクリート台４で支持している。図８は底面図である。この例では、このコンクリート台４に底面開口部10を設けている。この穴から、イセエビ等が上下移動できるようにする。
【００１２】
通水性ケースの下部コンクリート台４には下向き凸部11を設けたことにより、この人工魚礁が移動しない構造となっている。下向き凸部11は平滑な場所ではいわば脚の役目をして海底面との間に隙間を確保し、棲息区画の役目をし、砂場や潮流が速い人工魚礁が移動しやすい場所では移動防止の役目をする。
【００１３】
【発明の効果】
本発明によって、夜行性又は暗所を好む狭い場所へ潜む性質の魚介類、特にイセエビが、快適に棲息することのできる人工魚礁を提供できることとなった。潮流の激しい海底でも安定に設置状態が維持されるので、長期に亘って魚礁としての機能を発揮する。
【図面の簡単な説明】
【図１】  本発明の人工魚礁の実施例の側面図である。
【図２】  同人工魚礁の正面図である。
【図３】  同人工魚礁の平面図である。
【図４】  側面のメクラ板を大きくした人工魚礁の実施例の側面図である。
【図５】  隔壁の傾斜角を大にした例の側面図である。
【図６】  複数段に形成した例の側面図である。
【図７】  隔壁の一部に開口部を形成した例の平面図である。
【図８】  本発明の人工魚礁の実施例の底面図である。
【符号の説明】
１  天井
２  通水性のパイプ
３  メクラ板
４  コンクリート台
５  隔壁
６  出入口
７  内部
８  傾斜棲息区画
９  隔壁の開口部
10  底面開口部
11  下向き凸部
12  仕切縦壁
【図１】
0004390976.tif 000002
【図２】
0004390976.tif 000003
【図３】
0004390976.tif 000004
【図４】
0004390976.tif 000005
【図５】
0004390976.tif 000006
【図６】
0004390976.tif 000007
【図７】
0004390976.tif 000008
【図８】
0004390976.tif 000009